(57)【要約】【課題】グリース通路からポケット内面にグリースを安定して供給でき、軸受回転時のトルクロスを増大させることのない玉軸受用冠型保持器を提供することである。【解決手段】環状体２のポケット３の開口３ａと反対側の半径方向の厚み中央部で、ポケット３を形成する円弧部２ａと、隣り合う円弧部２ａを連結する連結部２ｂに沿わせるように抉り込まれたグリース溜め部４を設け、これらのグリース溜め部４をグリース通路６の部分を除いて囲う環状の蓋部材５を装着することにより、重力や遠心力等によるグリース溜め部４からのグリースの流出を防止し、グリース通路６からポケット３の内面にグリースを安定して供給できるようにするとともに、軸受回転時のトルクロスが増大しないようにした。【選択図】図３
2009024822.tif 000002
【特許請求の範囲】
【請求項１】
環状体の円周方向複数箇所に、軸方向の一方向に開口し、玉軸受のボールを収納するポケットを設け、これらのポケットの外側に設けたグリース溜め部から各ポケットの内面に連通するグリース通路を設けた玉軸受用冠型保持器において、前記グリース溜め部が前記グリース通路の部分を除いて閉塞した空間内に設けられたことを特徴とする玉軸受用冠型保持器。
【請求項２】
前記閉塞した空間が、前記ポケットの外側に設けたグリース溜め部を囲うように装着した蓋部材で形成された請求項１に記載の玉軸受用冠型保持器。
【請求項３】
前記グリース溜め部を前記環状体の前記ポケットの開口側と反対側に設けた請求項１または２に記載の玉軸受用冠型保持器。
【請求項４】
前記グリース溜め部を円周方向の複数箇所に設け、これらのグリース溜め部を互いに連通させた請求項３に記載の玉軸受用冠型保持器。
【請求項５】
前記蓋部材を環状に一体に連なるものとした請求項２乃至４のいずれかに記載の玉軸受用冠型保持器。
【発明の詳細な説明】
【技術分野】
【０００１】
本発明は、玉軸受用の冠型保持器に関する。
【背景技術】
【０００２】
環状体の円周方向複数箇所に、軸方向の一方向に開口し、玉軸受のボールを収納するポケットを設けた玉軸受用の冠型保持器は、ポケットの内面がボールの表面に沿う球面とされているので、ポケット内面とボールとの間にグリースが供給され難く、これらの間で油膜切れが生じやすい。このような冠型保持器のポケット内面とボール間での油膜切れを防止する手段としては、ポケットの外側に設けたグリース溜め部から各ポケットの内面に連通するグリース通路を設けたものが提案されている（例えば、特許文献１参照）。特許文献１に記載された冠型保持器は、環状体のポケットの開口側で、隣り合うポケットの舌片間をグリース溜め部としている。
【０００３】
【特許文献１】特開平１０−２１３１３９号公報
【発明の開示】
【発明が解決しようとする課題】
【０００４】
特許文献１に記載された玉軸受用冠型保持器は、ポケットの舌片間のグリース溜め部が開放されているので、グリース溜め部に溜められたグリースが重力や軸受回転に伴う遠心力等によって流出すると、グリース通路からポケット内面にグリースを供給できなくなる問題がある。また、グリース溜め部から流出するグリース量が多くなると、流出したグリースが軸受回転時の撹拌抵抗となってトルクロスが増大する問題もある。
【０００５】
そこで、本発明の課題は、グリース通路からポケット内面にグリースを安定して供給でき、軸受回転時のトルクロスを増大させることのない玉軸受用冠型保持器を提供することである。
【課題を解決するための手段】
【０００６】
上記の課題を解決するために、本発明は、環状体の円周方向複数箇所に、軸方向の一方向に開口し、玉軸受のボールを収納するポケットを設け、これらのポケットの外側に設けたグリース溜め部から各ポケットの内面に連通するグリース通路を設けた玉軸受用冠型保持器において、前記グリース溜め部が前記グリース通路の部分を除いて閉塞した空間内に設けられた構成を採用した。
【０００７】
すなわち、グリース溜め部をグリース通路の部分を除いて閉塞した空間内に設けることにより、重力や遠心力等によるグリース溜め部からのグリースの流出を防止し、グリース通路からポケット内面にグリースを安定して供給できるようにするとともに、軸受回転時のトルクロスが増大しないようにした。
【０００８】
前記閉塞した空間を、前記ポケットの外側に設けたグリース溜め部を囲うように装着した蓋部材で形成することにより、グリース溜め部を設けた閉塞した空間を容易に形成することができる。
【０００９】
前記グリース溜め部を前記環状体の前記ポケットの開口側と反対側に設けることにより、大容量のグリース溜め部を形成することができる。
【００１０】
前記グリース溜め部を円周方向の複数箇所に設け、これらのグリース溜め部を互いに連通することにより、各ポケット内に満遍なくグリースを供給することができる。
【００１１】
前記蓋部材を環状に一体に連なるものとすることにより、蓋部材を容易に装着することができる。
【発明の効果】
【００１２】
本発明の玉軸受用冠型保持器は、グリース溜め部をグリース通路の部分を除いて閉塞した空間内に設けたので、重力や遠心力等によるグリース溜め部からのグリースの流出を防止し、グリース通路からポケット内面にグリースを安定して供給できるとともに、軸受回転時のトルクロスが増大しないようにすることができる。
【００１３】
前記閉塞した空間を、ポケットの外側に設けたグリース溜め部を囲うように装着した蓋部材で形成することにより、グリース溜め部を設けた閉塞した空間を容易に形成することができる。
【００１４】
前記グリース溜め部を環状体のポケットの開口側と反対側に設けることにより、大容量のグリース溜め部を形成することができる。
【００１５】
前記グリース溜め部を円周方向の複数箇所に設け、これらのグリース溜め部を互いに連通することにより、各ポケット内に満遍なくグリースを供給することができる。
【００１６】
前記蓋部材を環状に一体に連なるものとすることにより、蓋部材を容易に装着することができる。
【発明を実施するための最良の形態】
【００１７】
以下、図面に基づき、本発明の実施形態を説明する。図１は、本発明に係る玉軸受用冠型保持器１を用いた玉軸受を示す。この玉軸受は、内輪１１と外輪１２の軌道溝１１ａ、１２ａ間に、複数のボール１３が冠型保持器１で保持された深溝玉軸受であり、軸受内部が外輪１２の両端部に装着されたシール部材１４でシールされている。
【００１８】
前記冠型保持器１は樹脂で形成され、図２に示すように、環状体２の円周方向複数箇所に、軸方向の一方向に開口３ａを有し、ボール１３を収納するポケット３を設けたものであり、ポケット３の内面はボール１３の表面に沿う球面とされている。
【００１９】
図３（ａ）、（ｂ）に示すように、前記環状体２のポケット３の開口３ａと反対側には、環状体２の半径方向の厚み中央部で、ポケット３を形成する円弧部２ａと、隣り合う円弧部２ａを連結する連結部２ｂに沿わせるように抉り込まれたグリース溜め部４が設けられ、これらのグリース溜め部４が環状に一体に連なる樹脂製の蓋部材５で囲われている。また、各グリース溜め部４は、各ポケット３の内面と２本ずつのグリース通路６で連通されるとともに、円弧部２ａの外側に設けられた連通路７で互いに連通されている。なお、環状の蓋部材５は、半径方向の両側に設けられた環状凸部５ａを、環状体２の半径方向の両側に設けられた環状凹段差部２ｃに嵌め込んで装着されている。蓋部材５は、複数のピンとピン穴の係合で環状体２に装着することもできる。
【００２０】
上述した実施形態では、グリース溜め部を、ポケットの開口と反対側で、環状体の半径方向の厚み中央部に設けたが、グリース溜め部は、ポケットへのボールの収納を阻害しないように蓋部材を取り付けられる部位であれば、任意の部位に設けることができる。
【図面の簡単な説明】
【００２１】
【図１】本発明に係る玉軸受用冠型保持器を用いた深溝玉軸受を示す縦断面図
【図２】図１の冠型保持器を示す縦断面図
【図３】ａは図２の冠型保持器の展開横断面図、ｂはａのIIIb−IIIb線に沿った断面図
【符号の説明】
【００２２】
１  冠型保持器
２  環状体
２ａ  円弧部
２ｂ  連結部
２ｃ  環状凹段差部
３  ポケット
３ａ  開口
４  グリース溜め部
５  蓋部材
５ａ  環状凸部
６  グリース通路
７  連通路
１１  内輪
１２  外輪
１１ａ、１２ａ  軌道溝
１３  ボール
１４  シール部材
【図１】
2009024822.tif 000003
【図２】
2009024822.tif 000004
【図３】
2009024822.tif 000005